(57)【特許請求の範囲】
【請求項１】
パイプ内に挿入して該パイプ内の汚れを除去するための弾性ワイヤーと、該ワイヤーに位置変更自在なるように取り付けられた操作用のハンドルとを有し、
上記ハンドルが、片手で握持した状態で開閉操作可能なるように連結された第１及び第２の２つの部材からなっていて、基端側の握持部と、該握持部の開閉操作によりワイヤーを固持し又は解放する先端側の係脱部と、中間の連結部とを有し、
上記係脱部には、２つの部材の相対する位置にそれぞれワイヤーが挿通する挿通孔が設けられ、これらの挿通孔が、握持部を緩めて両部材を開放したときには同軸状に位置してワイヤーを解放し、握持部を強握して両部材を閉じたときには相対的な軸線のずれによってワイヤーを弾性的に折曲させて固持するように関係付けられている、
ことを特徴とするワイヤー式清掃具。
【請求項２】
請求項１に記載の清掃具において、上記ハンドルの第１部材が断面溝形をなしていて、該第１部材の溝内に第２部材が分離可能に嵌合し、かつ上記連結部が、第２部材の両外側面に形成されたＵ字形の軸受部と、第１部材の両側壁に上記軸受部に向けて延出するように形成され、円弧状の先端部が該軸受部に回動自在かつ分離自在に嵌合する支軸部とを備えていることを特徴とするもの。
【請求項３】
請求項１又は２に記載の清掃具において、上記弾性ワイヤーが、ハンドルを開放状態に復帰させるための付勢手段を兼ねていることを特徴とするもの。
【発明の詳細な説明】
【０００１】
【発明の属する技術分野】
本発明は、配水管等の汚れを除去するためのワイヤー式清掃具に関するものである。
【０００２】
【従来の技術】
配水管等のパイプ内に挿入して該パイプ内の汚れを除去するワイヤー式清掃具は、従来より公知である。この種の清掃具は、パイプ内に挿入するための長尺の弾性ワイヤーと、該ワイヤーに位置変更自在なるように取り付けられた操作用のハンドルとからなっていて、ワイヤーの挿入長に応じてハンドルの位置を変えながら該ワイヤーを徐々にパイプ内に挿入するように構成されている。
【０００３】
しかしながら、上記従来の清掃具は、一般に、ワイヤー用挿通孔が軸線方向に貫通する棒状のハンドルを使用し、その側面に設けた止め螺子で該ハンドルをワイヤー上の適宜位置に固定する構成であるため、ハンドルの位置変更を行う場合に、止め螺子を一々緩めたりねじ込んだりしなければならず、変更作業が非常に面倒であった。
【０００４】
【発明が解決しようとする課題】
本発明の技術的課題は、ハンドルの位置変更を簡単且つ確実に行うことができるワイヤー式清掃具を提供することにある。
【０００５】
【課題を解決するための手段】
上記課題を解決するため、本発明によれば、パイプ内に挿入して汚れを除去するための弾性ワイヤーと、該ワイヤーに位置変更自在なるように取り付けられた操作用のハンドルとを有し、上記ハンドルが、片手で握持した状態で開閉操作可能なるように連結された第１及び第２の２つの部材からなっていて、基端側の握持部と、該握持部の開閉操作によりワイヤーを固持し又は解放する先端側の係脱部と、中間の連結部とを有し、上記係脱部には、２つの部材の相対する位置にそれぞれワイヤーが挿通する挿通孔が設けられ、これらの挿通孔が、握持部を緩めて両部材を開放したときには同軸状に位置してワイヤーを解放し、握持部を強握して両部材を閉じたときには相対的な軸線のずれによってワイヤーを弾性的に折曲させて固持するように関係付けられていることを特徴とするワイヤー式清掃具が提供される。
【０００６】
上記構成を有する本発明の清掃具において、ハンドルの握持部を緩めて第１部材と第２部材とを開放したときは、２つの挿通孔が同軸状に位置してワイヤーを解放するため、ハンドルを該ワイヤーに沿って自由に移動させることができる。そして、所要の位置で握持部を強握して両部材を閉じると、２つの挿通孔が相対的に変移することによって両挿通孔間にワイヤーが固持されるため、その位置にハンドルが固定され、該ハンドルを握持した状態でワイヤーの挿入作業や汚れの除去作業等を行うことができる。即ち、ハンドルを単に強握したり緩めたりするだけでワイヤーに固定したり固定を解除したりすることができるため、該ハンドルの位置変更を簡単且つ確実に行うことができる。
【０００７】
本発明の一つの具体的な実施形態によれば、上記ハンドルの第１部材が断面溝形をなしていて、該第１部材の溝内に第２部材が分離可能に嵌合し、かつ上記連結部が、第２部材の両外側面に形成されたＵ字形の軸受部と、第１部材の両側壁に上記軸受部に向けて延出するように形成され、円弧状の先端部が該軸受部に回動自在かつ分離自在に嵌合する支軸部とを備えている。
【０００８】
本発明の好ましい実施形態によれば、上記弾性ワイヤーが、ハンドルを開放状態に復帰させるための付勢手段を兼ねている。これにより、ばね等の付勢手段を別途に設ける必要がないため、ハンドルの構成が簡単になる。
【０００９】
【発明の実施の形態】
以下、本発明に係るワイヤー式清掃具の好ましい代表的な実施形態について図面を参照しながら詳細に説明する。図１に示すワイヤー式清掃具は、パイプ内に挿入して汚れを除去するための弾性ワイヤー１と、該ワイヤー１に位置変更自在なるように取り付けられた操作用のハンドル２とで構成されている。
【００１０】
上記弾性ワイヤー１は、細い弾性針金を螺旋状に巻いて形成したもので、上記針金は、隣接する巻線部分同士が接触する程度に密に巻かれている。また、ワイヤー１の先端には、必要に応じて汚れ除去用のヘッド４が取り付けられている。図示の例では、弾性針金を隣接する巻線部分間に間隔が形成される程度に粗に巻いた螺旋状のヘッド４が取り付けられているが、パイプの種類や汚れの状況等に応じてフックやブラシ等からなるヘッドを取り付けることもできる。
【００１１】
一方、上記ハンドル２は、図２〜図５から分かるように、片手で握持した状態で開閉操作可能なるように連結された細長い棒状の第１部材５及び第２部材６からなっていて、基端側の握持部２ａと、該握持部２ａ２ａの開閉操作によりワイヤー１を固持し又は解放する先端側の係脱部２ｂと、ハンドル２の先端寄りの中間位置に形成された連結部２ｃとを有している。
【００１２】
上記第１部材５は、第２部材６側が開放する溝形断面を有し、その両端に先端壁５ａと後端壁５ｂとを備えている。また、第２部材６は、上記第１部材５側が開放する溝形断面をなしていて、その両端には第１部材５と同様に先端壁６ａと後端壁６ｂとを備えているが、第１部材５よりもやや薄幅かつ短尺に形成され、該第１部材５の溝内に一部嵌合した状態で、上記連結部２ｃを支点にして開閉自在なるように連結されている。
【００１３】
上記連結部２ｃは、第２部材６の左右両外側面に第１部材５側に向けて開放するように形成されたＵ字形の窪みからなる軸受部８と、第１部材５の両側壁に上記軸受部８に向けて延出するように形成された支軸部９とからなるもので、該支軸部９は円弧状に湾曲する先端部９ａを有していて、この先端部９ａが上記軸受部８内に回動自在かつ分離自在に嵌合している。
【００１４】
上記第１部材５及び第２部材６における先端壁５ａ及び６ａには、金属製のスリーブ１１を嵌め付けた挿通孔１０ａ及び１０ｂが相対する位置に形成され、また後端壁５ｂ及び６ｂにも挿通孔１２ａ及び１２ｂが形成され、これらの挿通孔１０ａ，１０ｂ，１２ａ，１２ｂに上記ワイヤー１が、ハンドル２を貫通するように挿通されている。
【００１５】
係脱部２ｂに位置する先端壁５ａ，６ａの挿通孔１０ａ，１０ｂは、実質的に同じ大きさの円形孔からなっていて、両部材５，６の開閉により同軸状に位置したり軸線が相互にずれたりするように関係付けられている。即ち、図３に示すように、握持部２ａ側において両部材５，６が開放状態（離反状態）にあるときには、係脱部２ｂ側において先端壁５ａ，６ａ同士が閉じて重なり合うことにより両挿通孔１０ａ，１０ｂが同軸状に位置し、ワイヤー１をフリーな状態に解放する。このため、ハンドル２を該ワイヤー１に沿って自由に移動させることができる。また、図５に示すように、握持部２ａを強握して両部材５，６を閉じたときには、先端壁５ａ，６ａが相互に開くことによって２つの挿通孔１０ａ，１０ｂの軸線が相対的に変移し、両挿通孔１０ａ，１０ｂの間にワイヤー１を弾性変形した状態にロックすることにより、ハンドル２がその位置に固定されるようになっている。
【００１６】
上記ロック状態から握持部２ａの握持を緩めると、ワイヤー１が自身の弾性力に直線状に復帰するため、その復帰力により両部材５，６は、図３に示すように２つの挿通孔１０ａ，１０ｂが同軸状をなす位置まで自動的に復帰し、握持部２ａが開放する。即ち、上記弾性ワイヤー１は、ハンドル２を開放状態に復帰させるための付勢手段を兼ねるものである。
【００１７】
一方、ハンドル２の後端部に位置する後端壁５ｂ，６ｂの挿通孔１２ａ，１２ｂは、第２部材６の挿通孔１２ｂが円形孔であるが、第１部材５の挿通孔１２ａは縦長の長孔状に形成されていて、この長孔内をワイヤー１が自由に移動できるようになっており、これにより、握持部２ａの開閉操作に支承がないようにしている。
【００１８】
図中１３は、第１部材５及び第２部材６の溝底にそれぞれ形成したリブで、ワイヤー１が弛んで溝底内に入り込まないように支持する機能を持っている。
【００１９】
上記構成を有する本発明の清掃具は、ワイヤー１に沿ってハンドル２の固定位置を変えながら、該ワイヤー１をパイプ内に順次挿入すると共に、該ワイヤー１でパイプ内の汚れを除去する。ここで、上記ハンドル２をワイヤー１に固定するときは、図４に示すように握持部２ａを強握して両部材５，６を閉じることにより、先端壁５ａ，６ａが開いて２つの挿通孔１０ａ，１０ｂが相対的に変移し、両挿通孔１０ａ，１０ｂ間にワイヤー１が弾性変形状態にロックされるため、その位置にハンドル２が固定される。また、ハンドル２を移動させるときは、図３に示すように、握持部２ａの握持を緩めることにより、ワイヤー１が弾性力で直線状に復帰するため、その復帰力により両部材５，６が、２つの挿通孔１０ａ，１０ｂが同軸状をなす位置まで自動的に復帰し、該ワイヤー１をロック状態から解放する。このため、ハンドル２を該ワイヤー１に沿って自由に移動させることができる。即ち、ハンドル２を単に強握したり緩めたりするだけで、該ハンドル２をワイヤー１に固定したり固定を解除したりすることができ、該ハンドル２の位置変更が非常に簡単である。
【００２０】
【発明の効果】
このように本発明によれば、ハンドルを単に強握したり緩めたりすることにより２つの挿通孔を相対的に変移させるだけで、該ハンドルをワイヤーに固定したり固定を解除したりすることができるため、ワイヤーに対するハンドルの位置変更を非常に簡単且つ迅速に行うことができる。
【図面の簡単な説明】
【図１】本発明に係るワイヤー式清掃具の一実施例を示す斜視図である。
【図２】図１のハンドル部分を示す要部側面図である。
【図３】図２の縦断面図で、ハンドルの非固定状態を示すものである。
【図４】図２におけるＡ−Ａ線での断面図である。
【図５】図２の縦断面図で、ハンドルをワイヤーに固定した状態を示すものである。
【符号の説明】
１    ワイヤー
２    ハンドル
２ａ    握持部
２ｂ    係脱部
２ｃ    連結部
５    第１部材
６    第２部材
８    軸受部
９    支軸部
９ａ    先端部
１０ａ，１０ｂ    挿通孔
【図１】
0004380865.tif 000002
【図２】
0004380865.tif 000003
【図３】
0004380865.tif 000004
【図４】
0004380865.tif 000005
【図５】
0004380865.tif 000006